(57)【要約】【課題】本発明を利用するレシピをホームページ上で集積すると共に応募若しくは提供することができる電子レンジ調理情報集積及び閲覧システムの提供。【解決手段】電子レンジ調理情報集積及び閲覧システムであって、電子レンジを利用した調理方法を掲載する機能を有するホームページと、ホームページを保管しておくサーバーとからなり、ホームページは、ホームページに記載されていない電子レンジ調理情報を記入した際に新しい電子レンジ調理方法としてホームページに掲載することを可能にする機能を有し、ホームページにアクセスするためのアドレスが、電子レンジ用包装袋及び袋を封止する袋封止用クリップと一体或いは別体の電子レンジを用いた調理方法を記載したレシピ記載シートに記載されてなり、レシピ記載シート入手者が電子レンジ調理を情報集積及び提供することを特徴とする。【選択図】図２
2004094322.tif 000002
【特許請求の範囲】
【請求項１】
電子レンジ調理情報集積及び閲覧システムであって、
電子レンジを利用した調理方法を掲載する機能を有するホームページと、該ホームページを保管しておくサーバーとからなり、
前記ホームページは、該ホームページに記載されていない電子レンジ調理情報を記入した際に新しい電子レンジ調理方法として該ホームページに掲載することを可能にする機能を有し、
前記ホームページにアクセスするためのアドレスが、電子レンジ用包装袋及び該袋を封止する袋封止用クリップと一体或いは別体の電子レンジを用いた調理方法を記載したレシピ記載シートに記載されてなり、
前記レシピ記載シート入手者が電子レンジ調理を情報集積及び提供することを特徴とする電子レンジ調理情報集積及び閲覧システム。
【請求項２】
前記電子レンジ用包装袋と前記袋封止用クリップと前記レシピ記載シートがセットである請求項１記載の電子レンジ調理情報集積及び閲覧システム。
【請求項３】
前記レシピ記載シートには、前記調理方法に使用する料理の材料及び調味料と、該料理の出来上がりの写真とが記載されていることを特徴とする請求項１乃至２いずれか記載の電子レンジ調理情報集積及び閲覧システム。
【発明の詳細な説明】
【０００１】
【発明の属する技術分野】
本発明は、電子レンジ調理情報集積及び閲覧システムに関し、より詳しくは、本発明のレシピ入手者がレシピ記載シートに記載されたホームページアドレスからホームページを閲覧することで、本発明を利用するレシピをホームページ上で集積すると共に応募若しくは提供することができる電子レンジ調理情報集積及び閲覧システムに関する。
【０００２】
【従来の技術】
従来、料理を作る際に、電子レンジを使った調理方法は数多く存在する。例えば、かぼちゃを下茹でする時など実際にお湯を用いて茹でるよりも効率よく下茹ですることができる。電子レンジを効率よく使うことで時間もエネルギーも節約することが可能である。そのため、電子レンジを利用した調理方法が数多く考え出された。また、電子レンジを利用するには、容器の中の蒸気が逃げないことが肝心であるため、容器をラップ等で包み密封する必要がある。そのため、新素材のラップの開発や、ラップを袋状にした電子レンジ用包装袋の開発等の改良が行われた。更に、ラップを袋状にした際に、開口部が電子レンジの加熱による加圧によって開かないようにするための袋封止用クリップもいろいろと考え出された。
【０００３】
そして最近では、上記した、電子レンジ用包装袋やその開口部を封止する袋封止用クリップが電子レンジ調理用具として販売されるようになってきた。そのため、消費者にとって便利となった。
【０００４】
しかしながら、このようなクリップと袋を入手者は野菜の下茹で等の補助的な使用しか行っていないのが現状であった。これは、上記したような既存の袋とクリップでは自分の経験と知識の範囲内でしか使用することができなかったということである。つまり、入手者は、袋とクリップを使用した電子レンジを利用する調理方法を殆ど知らないために、折角クリップと袋を購入してもこれを有効に利用することができなかった。また、購入者が下茹で等の補助的な利用だけでなく本格的な調理に活用しようとしても、調理の過程に於いて具体的にどのように使用していいのかがわからず、例えば、電子レンジの加熱時間を間違うなどして調理がうまくいかないことが多かった。
【０００５】
【発明が解決しようとする課題】
本発明は、このような実情に鑑みてなされたもので、本発明のレシピ入手者がレシピ記載シートに記載されたホームページアドレスからホームページを閲覧することで、本発明を利用するレシピをホームページ上で集積すると共に応募若しくは提供することができる電子レンジ調理情報集積及び閲覧システムを提供する。
【０００６】
【課題を解決するための手段】
請求項１記載の発明は、電子レンジ調理情報集積及び閲覧システムであって、電子レンジを利用した調理方法を掲載する機能を有するホームページと、該ホームページを保管しておくサーバーとからなり、前記ホームページは、該ホームページに記載されていない電子レンジ調理情報を記入した際に新しい電子レンジ調理方法として該ホームページに掲載することを可能にする機能を有し、前記ホームページにアクセスするためのアドレスが、電子レンジ用包装袋及び該袋を封止する袋封止用クリップと一体或いは別体の電子レンジを用いた調理方法を記載したレシピ記載シートに記載されてなり、前記レシピ記載シート入手者が電子レンジ調理を情報集積及び提供することを特徴とする電子レンジ調理情報集積及び閲覧システムを提供する。
【０００７】
請求項２記載の発明は、前記電子レンジ用包装袋と前記袋封止用クリップと前記レシピ記載シートがセットである請求項１記載の電子レンジ調理情報集積及び閲覧システムを提供する。
【０００８】
請求項３記載の発明は、前記レシピ記載シートには、前記調理方法に使用する料理の材料及び調味料と、該料理の出来上がりの写真とが記載されていることを特徴とする請求項１乃至２いずれか記載の電子レンジ調理情報集積及び閲覧システムを提供する。
【０００９】
【発明の実施の形態】
まず、本発明に於ける構成要素を説明する。
本発明に係る電子レンジ調理情報集積及び閲覧システムは、サーバーと、ホームページと、電子レンジ用包装袋、その袋封止用クリップ、レシピ記載シート及び、必要に応じてこれら３点をまとめて入れておく外容器、から構成される。
【００１０】
サーバーは、本発明に於けるインターネット上に記載されるホームページを保管管理しておく機能を有する。
インターネット上に記載されたホームページのアドレスは、レシピ記載シートに記載しておき、本発明のレシピ入手者はインターネットを利用して閲覧できるようにしておく。
【００１１】
ホームページには、電子レンジを利用した電子レンジ調理方法の料理を記載しておく。更に、ホームページ上に記載されている以外の電子レンジ調理方法をホームページ閲覧者がホームページ上に記載できるようにしておく。ホームページに新しい電子レンジ調理方法を記載する方法は、特に限定しないが、必要項目を記入することで電子レンジ調理方法紹介のホームページが作成される雛型を作成しておき、ホームページ閲覧者が雛型に必要事項を記入することで、ホームページ上に新しい調理方法として掲載され紹介されるようにしておく。
【００１２】
本発明に於ける電子レンジ包装袋、袋封止クリップ及びレシピ記載シートは別々にして販売してもよいが、より好ましくは、１つのセットとして外袋等の外容器に入れて販売することが好ましい。１つのセットにして販売することで購入者にとっては、煩わしい手間が省け便利である。
【００１３】
図１は、電子レンジ用包装袋（２０）、その袋封止用クリップ（１０）及びレシピ記載シート（３０）の概略図である。図２は、複数の電子レンジ用包装袋（２０）、袋封止用クリップ（１０）及びレシピ記載シート（３０）を外容器（４０）に入れたところを示す図である。
【００１４】
電子レンジ用包装袋（２０）は、材料や調味料を中に入れて電子レンジで加熱調理するためのものである。電子レンジ用包装袋（２０）の素材は、特に限定しないが、電子レンジで使用し高温になっても溶け出さない素材であればよい。例えば、原料樹脂としてはポリアミド、低密度リニアポリエチレン等の樹脂で製造されることが好ましい。電子レンジ用包装袋（２０）の大きさも、特に限定しないが、電子レンジの大きさ及び料理の量に合わせた大きさを使用することが好まれる。電子レンジ用包装袋（２０）は、好ましくは、一定の圧力がかかると開いて電子レンジ用包装袋（２０）の圧力を調節する蒸気口を有している袋が望ましい。何故なら、電子レンジで調理している際に、余分な圧力がかかることなく調理可能になるためである。
【００１５】
外容器（４０）の中に入れておく電子レンジ用包装袋（２０）の枚数は、特に限定されないが、好ましくは１０枚〜２０枚である。電子レンジ包装袋（２０）が少ないと、袋封止用クリップ（１０）が充分使用できるまま新しい本発明セットを購入することになって無駄になってしまうし、電子レンジ包装袋（２０）が多すぎれば、袋封止用クリップ（１０）の封止力が落ちて役に立たないことになるからである。
【００１６】
袋封止用クリップ（１０）は、電子レンジ用包装袋（２０）の開口部を電子レンジによって加熱され圧力がかかっても絶対に開かないように封止するクリップである。袋封止用クリップ（１０）は、電子レンジ用包装袋（２０）の開口部をしっかりと封止できることが重要である。このクリップの大きさ及び素材共に、特に限定はしないが、上記したように電子レンジ用包装袋（２０）の開口部をしっかり封止できる大きさであることと、電子レンジにかけられても溶け出したりすることのない素材であることが重要である。
【００１７】
図３は、レシピ記載シートの一例を示す図である。
レシピ記載シート（３０）には、電子レンジ用包装袋（２０）及び袋封止用クリップ（１０）を用いて電子レンジを利用する調理方法を記載する。レシピ記載シート（３０）に記載する料理の数は、特に限定されないが、約１０〜２０種類の料理を記載する。記載する料理の数があまり少ないと、本発明セットを利用した調理方法が少ないという印象を与えてしまうし、多すぎるとレシピ記載シート自体が嵩張るか小さな文字での記載になるため読み辛くなる。
また、レシピ記載シート（３０）には、料理の材料及び調味料とその調理の方法と、料理の出来上がった料理の写真（３１）を記載する。料理の材料の量は、特に限定されないが、大体１人前の料理ができるような量を記載しておく。更には、電子レンジ用包装袋（２０）の大きさに合わせた適宜な量が好ましい。上記した量をレシピ記載シート（３０）に記載する。また、調味料は、料理の材料に合わせた量を記載する。
【００１８】
調理方法はレシピ記載シート（３０）を読むだけで料理ができるように、できるだけ詳細に説明する。調理方法の記載される流れとしては、先ず、料理の材料等を洗ったり下拵えをしたりする段階を記載する。次に、電子レンジ用包装袋（２０）に入れるための準備を材料に施すことを記入する。そして、上記した材料及び調味料を電子レンジ用包装袋（２０）に入れて、電子レンジで調理するために適切なワット数及び加熱時間を記載する。これら上記記載後、器に盛り付ける方法を記載してもよいし、料理の食べ方を記載しておいてもよい。また、注意書きとして、袋に入れるときの入れ方（例えば、材料をバラバラにして入れるや材料を入れた袋を揉んで味を馴染ませる）などのアドバイスや注意事項を記入しておいてもよい。
【００１９】
記載する写真（３１）は、特に限定しないが、出来上がって盛り付けをした写真が好ましい。出来上がりの写真の方がどんな料理になるのか容易に想像がつくので好ましい。出来上がりの料理の写真（３１）については、写真の代わりに、絵でもよいが、写真のほうが現実的で食欲をそそり、料理の美味しさも伝わり易い。
【００２０】
記載する調理方法のレシピ記載シート（３０）は、特に限定はしないが、料理を調理する過程に於いて最後に電子レンジを使用する調理過程のレシピが好まれる。最後に電子レンジにかける工程にすることで、電子レンジで温めた後直ぐに食することができるので電子レンジ用包装袋（２０）が調理の器になり新しく皿に盛り付けする必要もない。また、最後の工程は、料理が仕上がる重要な工程であるが、電子レンジを使用することによって火を使用する必要が無いので、子供でもお年寄りでも安心して調理できると共にいつでも同じ料理の味を再現できることになる。
【００２１】
更に、電子レンジを使用する料理は、火を用いないために、フライパン等に油を敷く必要が無いので必要以上に油を摂取する心配がない。そのため、ダイエットに適しているし、同じ料理であっても火を使用した通常の工程で作られた料理よりも油を使用しないので健康的な料理を作ることができる。
【００２２】
本発明に於ける料理の調理方法の紙媒体となるレシピ記載シート（３０）は、そのスペース上料理の数が限定されてしまうため、インターネット上にホームページを開設し、そのアドレス（３２）をレシピ記載シートに記載しておく。そうすれば、レシピ記載シートに記載されていない料理であっても、使用者が記載されたアドレスを見てそのホームページにアクセスすることでホームページに材料及び調味料等の調理方法が掲載されていれば、その記載どおりに料理を調理することによって所望する料理を作ることができ食することができる。
【００２３】
レシピ記載シート（３０）通りに料理を作った後に、冷凍して料理を保存する場合にも、この電子レンジ用包装袋のまま冷蔵庫で保存することもできる。また、その場合の解凍時間をレシピ記載シートに参考事項として記載しておいてもよい。
【００２４】
インターネット上のホームページは、レシピ記載シート（３０）に記載されている料理以外の料理の調理方法を掲載する。そうすることで、本発明のレシピ入手者は、レシピ記載シート（３０）記載の料理だけでなく更に多くの料理の調理方法を知ることができる。
【００２５】
また、本発明のレシピ入手者は、ホームページにアクセスし、電子レンジを利用したレシピ記載シート（３０）及びホームページに記載されていない新しい電子レンジ調理方法の料理をホームページに記載できる。そのため、今までは誰も知らなかった電子レンジ調理方法の料理がホームページに掲載されることになるので、絶えず新しい電子レンジ調理方法が記載されることとなる。
【００２６】
外容器（４０）は、電子レンジ用包装袋（２０）、袋封止用クリップ（１０）及びレシピ記載シート（３０）をまとめて入れておく袋である。外容器（４０）の素材は、特に限定されないが、中身を見ることができるように透明な素材が好まれる。外容器（４０）の大きさは、特に限定しないが、上記した３点が入ればよい。更に好ましくは、レシピ記載シート（３０）を２〜３回折り畳んで外容器（４０）に入れることができることが好まれる。つまり、外容器（４０）は、折り畳まれたレシピ記載シート（３０）に記載されたレシピの一部が見えるような大きさが好まれる。
更には、外容器（４０）は、特に限定されないが、透明なプラスチック箱でもよい。
【００２７】
本発明に於ける利用方法を説明する。
本発明のレシピ所有者は、まず、自分の所望する料理をレシピ記載シート（３０）の中から決める。料理を見つけるとそのレシピ記載シート記載の調理方法どおりに材料を揃え、調味料を用意する。準備ができると材料及び調味料を電子レンジ用包装袋（２０）に入れる。レシピ記載シート（３０）に書いてある時間通りに電子レンジにかける。そうすると、所望する料理ができあがる。
【００２８】
レシピ記載シート（３０）に書いてある通りに調理することで、下茹で等の補助的な利用手段ではなく、更に電子レンジにかける時間を利用者の感に頼る必要もなく、所望する結果どおりの料理が得られることになる。
【００２９】
図４は、本発明に於けるホームページ利用を示すフローチャートである。
もし、レシピ記載シート（３０）の中に所望する料理が記載されていない場合は、レシピ記載シート（３０）に記載されているホームページアドレス（３２）を利用して、ホームページにアクセスする（ステップ１）。ホームページにアクセスすれば（ステップ２）、レシピ記載シート（３０）に記載されている以外の料理が掲載されているのでその中から所望するレシピを見つける（ステップ３）。ホームページ掲載のレシピ記載シートどおりに調理すれば所望する料理が得られる。
【００３０】
更に、本発明のセットを用いた新しい電子レンジ調理方法を発見すれば（ステップ４）、ホームページに記載し掲載する（ステップ５）ことで新しい電子レンジ調理方法を紹介することになる。所望するレシピの情報授受が完了すれば終了となる（ステップ６）。
【００３１】
本発明のレシピ入手者は、一方的に電子レンジ調理方法を受動的に受け取るのではなく、自分で考え出した電子レンジ調理方法を新たな調理方法としてホームページで提供することになる。
電子レンジ調理方法をホームページによって収集することもできると共に新たな電子レンジ調理方法を提供することになり電子レンジ調理方法に関する情報をインターネットを介してやり取りすることになる。
【００３２】
【発明の効果】
請求項１記載の発明に於いては、電子レンジ調理情報集積及び閲覧システムであって、電子レンジを利用した調理方法を掲載する機能を有するホームページと、該ホームページを保管しておくサーバーとからなり、
前記ホームページは、該ホームページに記載されていない電子レンジ調理情報を記入した際に新しい電子レンジ調理方法として該ホームページに掲載することを可能にする機能を有し、前記ホームページにアクセスするためのアドレスが、電子レンジ用包装袋及び該袋を封止する袋封止用クリップと一体或いは別体の電子レンジを用いた調理方法を記載したレシピ記載シートに記載されてなり、前記レシピ記載シート入手者が電子レンジ調理情報集積及び提供することを特徴とする電子レンジ調理情報集積及び閲覧システムを提供する。このことによって、料理のレシピ記載シートを付けることで電子レンジを利用する際に下茹で等の補助的調理方法だけでなく、メインの調理方法として利用可能にし容易に所望する料理を作ることができる。更には、インターネット上にレシピを掲載することで、紙媒体のレシピ記載シートではどうしても避けられない含有する情報量の制限から脱却することができる。また、インターネットを用いることで全国津々浦々から本発明を利用する調理方法を募集でき調理方法の数を増加させることができる。
【００３３】
請求項２記載の発明に於いては、前記電子レンジ用包装袋と前記袋封止クリップと前記レシピ記載シートがセットである請求項１記載の電子レンジ調理情報集積及び閲覧システムを提供する。このことによって、購入者は、本発明を便利に利用できると共に煩わしい購入作業を必要としなくなる。
【００３４】
請求項３記載の発明に於いては、前記レシピ記載シートには、前記調理方法に使用する料理の材料及び調味料と、該料理の出来上がりの写真とが記載されていることを特徴とする請求項１乃至２いずれか記載の電子レンジ調理情報集積及び閲覧システムを提供する。このことによって、より具体的な材料及び調味料等の調理方法を記載させることでいつでも失敗無しに同じ味を再現できると共に写真を記載することで出来上がる料理をより具体的に理解できるため食欲をそそり料理を行いたく思わせる。
【図面の簡単な説明】
【図１】本発明に於ける電子レンジ用包装袋、袋封止用クリップ及びレシピ記載シートの概略図である。
【図２】本発明に於ける電子レンジ用包装袋、袋封止用クリップ及びレシピ記載シートを外容器にまとめた場合を示す図である。
【図３】本発明に於けるレシピ記載シートの一例を示す図である。
【図４】本発明に於けるホームページ利用を示すフローチャートである。
【符号の説明】
１０・・・袋封止用クリップ
２０・・・電子レンジ用包装袋
３０・・・レシピ記載シート
３１・・・写真
３２・・・ホームページアドレス
４０・・・外容器
【図１】
2004094322.tif 000003
【図２】
2004094322.tif 000004
【図３】
2004094322.tif 000005
【図４】
2004094322.tif 000006